(57)【特許請求の範囲】
【請求項１】
建物の柱部材間に架け渡される制震梁であって、
鋼製の制震ダンパーを支えるプレキャストコンクリートからなるプレキャスト型枠を、縁切り材を介して一体に成形し、
前記プレキャスト型枠は、上方および側方の一つが開口した四角箱状の型枠部材を、前記縁切り材および前記制震ダンパーを挟んで互いに対向配置して構成され、
前記制震ダンパーは、前記２つの型枠部材内にそれぞれ収容した取り付け鋼材に接続してあることを特徴とするプレキャスト型枠からなる制震梁。
【請求項２】
前記取り付け鋼材の周りに梁鉄筋を設けたことを特徴とする請求項１に記載のプレキャスト型枠からなる制震梁。
【請求項３】
前記制震ダンパーをＨ型断面の低降伏点鋼で構成したことを特徴とする請求項１または２に記載のプレキャスト型枠からなる制震梁。
【請求項４】
前記プレキャスト型枠の内部にコンクリートを充填したことを特徴とする請求項１〜３のいずれか一つに記載のプレキャスト型枠からなる制震梁。
【請求項５】
請求項１〜４のいずれか一つに記載のプレキャスト型枠からなる制震梁の施工方法であって、
鋼製の制震ダンパーを支えるプレキャストコンクリートからなるプレキャスト型枠を、縁切り材を介して予め一体に成形しておき、前記制震ダンパーを支える前記プレキャスト型枠を所定の施工位置に配置した後で、前記プレキャスト型枠の内部にコンクリートを充填することを特徴とする制震梁の施工方法。
【発明の詳細な説明】
【技術分野】
【０００１】
本発明は、プレキャスト型枠からなる制震梁および制震梁の施工方法に関するものである。
【背景技術】
【０００２】
従来、地震による建物の揺れを吸収して耐震性能を向上させる鉄骨梁ダンパーが知られている（例えば、特許文献１参照）。この鉄骨梁ダンパーは、Ｈ形断面の低降伏点鋼等からなる制震ダンパーを有しており、Ｈ型鋼などの連結部材およびコンクリートを介して、隣り合う柱などの部材間に水平に架け渡される。
【先行技術文献】
【特許文献】
【０００３】
【特許文献１】特開２００５−１１３５２５号公報
【発明の概要】
【発明が解決しようとする課題】
【０００４】
ところで、上記の従来の鉄骨梁ダンパーは、建物の基準階において間隔を隔てて複数箇所に設けるのが通常である。施工の際は、制震ダンパー、連結部材等の各構成部材を施工位置に個別に揚重して組み立て設置する。しかし、部材数が多いことから揚重手間と組み立て手間を要し、短時間で施工するのは困難で施工コストを押し上げる要因となっていた。このため、鉄骨梁ダンパーを短時間に施工することができ、施工コストを低減可能な技術の開発が求められていた。
【０００５】
本発明は、上記に鑑みてなされたものであって、鉄骨梁ダンパーを短時間に施工することができ、施工コストを低減可能なプレキャスト型枠からなる制震梁および制震梁の施工方法を提供することを目的とする。
【課題を解決するための手段】
【０００６】
上記した課題を解決し、目的を達成するために、本発明の請求項１にプレキャスト型枠からなる制震梁は、建物の柱部材間に架け渡される制震梁であって、鋼製の制震ダンパーを支えるプレキャストコンクリートからなるプレキャスト型枠を、縁切り材を介して一体に成形し、前記プレキャスト型枠は、上方および側方の一つが開口した四角箱状の型枠部材を、前記縁切り材および前記制震ダンパーを挟んで互いに対向配置して構成され、前記制震ダンパーは、前記２つの型枠部材内にそれぞれ収容した取り付け鋼材に接続してあることを特徴とする。
【０００７】
また、本発明の請求項２に係るプレキャスト型枠からなる制震梁は、上述した請求項１において、前記取り付け鋼材の周りに梁鉄筋を設けたことを特徴とする。
【０００８】
また、本発明の請求項３に係るプレキャスト型枠からなる制震梁は、上述した請求項１または２において、前記制震ダンパーをＨ型断面の低降伏点鋼で構成したことを特徴とする。
【０００９】
また、本発明の請求項４に係るプレキャスト型枠からなる制震梁は、上述した請求項１〜３のいずれか一つにおいて、前記プレキャスト型枠の内部にコンクリートを充填したことを特徴とする。
【００１０】
また、本発明の請求項５に係る制震梁の施工方法は、上述した請求項１〜４のいずれか一つに記載のプレキャスト型枠からなる制震梁の施工方法であって、鋼製の制震ダンパーを支えるプレキャストコンクリートからなるプレキャスト型枠を、縁切り材を介して予め一体に成形しておき、前記制震ダンパーを支える前記プレキャスト型枠を所定の施工位置に配置した後で、前記プレキャスト型枠の内部にコンクリートを充填することを特徴とする。
【発明の効果】
【００１２】
本発明によれば、建物の柱部材間に架け渡される制震梁であって、鋼製の制震ダンパーを支えるプレキャストコンクリートからなるプレキャスト型枠を、縁切り材を介して一体に成形したので、予め工場製作しておいた制震ダンパーを支えるプレキャスト型枠を、建設現場の施工箇所に配置してプレキャスト型枠内にコンクリートを充填することで、鉄骨梁ダンパーを短時間に施工することができ、施工コストを低減することができる。
【図面の簡単な説明】
【００１３】
【図１】図１は、本発明に係るプレキャスト型枠からなる制震梁の実施例を示す斜視図である。
【図２】図２は、本発明に係るプレキャスト型枠からなる制震梁の実施例を示す上面断面図である。
【図３】図３は、本発明に係るプレキャスト型枠からなる制震梁の実施例を示す側面断面図である。
【図４】図４は、制震梁を揚重する場合の一例を示す図である。
【図５】図５は、制震梁の設置状況の一例を示す図である。
【発明を実施するための形態】
【００１４】
以下に、本発明に係るプレキャスト型枠からなる制震梁および制震梁の施工方法の実施例を図面に基づいて詳細に説明する。なお、この実施例によりこの発明が限定されるものではない。
【００１５】
図１〜図３に示すように、本発明に係るプレキャスト型枠からなる制震梁１０は、建物の柱部材間に架け渡される制震梁であって、制震ダンパー１２を支えるプレキャストコンクリートからなるプレキャスト型枠１４を、縁切り材１６を介して一体に成形し、ハーフＰＣ（ハーフプレキャストコンクリート）化したものである。
【００１６】
プレキャスト型枠１４は、上方および側方の一つが開口した四角箱状の型枠部材１８を、縁切り材１６および制震ダンパー１２を挟んで互いに対向配置して構成したものである。
【００１７】
型枠部材１８は、対向面２０側の上端に水平突出部２２を有している。プレキャスト型枠１４は、型枠部材１８の水平突出部２２同士を縁切り材１６を挟んで突き合わせた構造をしている。
【００１８】
縁切り材１６は、スタイロフォームなどの２つの型枠部材１８の縁切りに好適な材料を用いることができる。
【００１９】
制震ダンパー１２は、Ｈ型断面の低降伏点鋼で構成され、その両端には端部プレート２４が接合してある。制震ダンパー１２は、型枠部材１８の各水平突出部２２の下側に位置しており、プレキャスト型枠１４の外側に配置してある。制震ダンパー１２の端部プレート２４は、２つの型枠部材１８内に収容固定してある取り付け鋼材２６の端部プレート２８に接続してある。
【００２０】
取り付け鋼材２６は、Ｈ型鋼からなり、その両端にはプレート２８、３０が接合してある。内側の端部プレート２８は、型枠部材１８の対向面２０に面一に埋設してあり、制震ダンパー１２の端部プレート２４がボルトや溶接等により接続される。
【００２１】
取り付け鋼材２６の周りには、梁鉄筋３２が設けてある。梁鉄筋３２は、複数本の主筋３４およびあばら筋３６からなる。主筋３４は、制震梁１０が建物の柱部材間に架け渡された際に、柱部材内に埋設可能なように、型枠部材１８の側方の開口１８ａから外方に突出した構成としてもよい。この場合、取り付け鋼材２６の外側の端部プレート３０等に鋼棒を接合し、外方に延ばしてもよい。
【００２２】
上記の構成の作用を説明する。
予めプレキャストコンクリート工場で製作しておいた制震ダンパー１２を支えるプレキャスト型枠１４を建設現場の施工箇所に配置する。次いで、プレキャスト型枠１４内に上方の開口１８ｂ等からコンクリート３８を充填する。こうすることで、従来のように構成部材を個別に揚重せずに済むとともに、現場組み立てに要する時間を節約することができる。このため、鉄骨梁ダンパーからなる制震梁１０を短時間で容易に施工することができ、建設コストを低減することができる。
【００２３】
なお、建設現場に輸送した制震梁１０を所定の施工位置に揚重する場合には、図４に示すように、２つの型枠部材１８間に山形鋼などの仮止め部材４０を架け渡して繋ぐとともに、側方の開口１８ａの縁を繋いでクレーン等の揚重機にて揚重する。このようにすれば、揚重時の構成部材の変形や分解を防止することができる。
【００２４】
図５は、制震梁の設置状況の一例を示す図である。図５に示すように、制震梁１０を建物の柱部材２間に架け渡し、主筋３４を柱部材２内に挿入し、柱部材２の鉄筋４と接合する。続いて、型枠部材１８の上方の開口１８ｂからコンクリートを打設することによって、プレキャスト型枠１４の内部にコンクリートを充填し、このコンクリートの硬化を待って制震梁１０が完成することになる。
【００２５】
以上説明したように、本発明によれば、建物の柱部材間に架け渡される制震梁であって、鋼製の制震ダンパーを支えるプレキャストコンクリートからなるプレキャスト型枠を、縁切り材を介して一体に成形したので、予め工場製作しておいた制震ダンパーを支えるプレキャスト型枠を、建設現場の施工箇所に配置してプレキャスト型枠内にコンクリートを充填することで、鉄骨梁ダンパーを短時間に施工することができ、施工コストを低減することができる。
【産業上の利用可能性】
【００２６】
以上のように、本発明に係るプレキャスト型枠からなる制震梁および制震梁の施工方法は、耐震建物における制震梁の施工期間の短縮に有用であり、特に、耐震建物の施工コストを低減するのに適している。
【符号の説明】
【００２７】
２  柱部材
４  鉄筋
１０  プレキャスト型枠からなる制震梁
１２  制震ダンパー
１４  プレキャスト型枠
１６  縁切り材
１８  型枠部材
１８ａ  側方の開口
１８ｂ  上方の開口
２０  対向面
２２  水平突出部
２６  取り付け鋼材
２４，２８，３０  端部プレート
３２  梁鉄筋
３４  主筋
３６  あばら筋
３８  コンクリート
４０  仮止め部材
【図１】
0005601505.tif 000002
【図２】
0005601505.tif 000003
【図３】
0005601505.tif 000004
【図４】
0005601505.tif 000005
【図５】
0005601505.tif 000006